(57)【要約】      （修正有）【課題】容器と別体のストローを使用することなく、容器内に収容されている飲料を吸うことができる飲料用容器を提供すること。【解決手段】飲料用容器１は、容器本体部２と、側面視において容器本体部２の開口部上面から突出する１又は複数個の吸口部３とから構成され、吸口部３及び容器本体部２の側壁の内部領域又は外側領域又は内側領域のいずれかに飲料流路となるストロー孔６が連続して形成され、ストロー孔６の一端は吸口部３の上端部に開口し、他端は容器本体部２の内面底部に開口する。【選択図】図１
2020018677.tif 000002
【特許請求の範囲】
【請求項１】
ストロー機能を備えた飲料用容器であって、
前記飲料用容器は、
容器本体部と、側面視において前記容器本体部の開口部の上面から突出する１又は複数の吸口部とから構成され、
前記吸口部の内部領域又は外側領域又は内側領域のいずれかの領域、及び前記容器本体部の側壁の内部領域又は外側領域又は内側領域のいずれかの領域に、飲料流路となるストロー孔が連続して形成され、
前記ストロー孔の一端は前記吸口部の上端部に開口し、他端は前記容器本体部の内面底部に開口している、
ことを特徴とする飲料用容器。
【請求項２】
前記飲料用容器は、内側容器と外側容器の２重構造からなり、前記内側容器は前記外側容器に対して着脱自在に嵌合されている、
ことを特徴とする請求項１に記載の飲料用容器。
【請求項３】
前記飲料用容器は、内側容器と外側容器の２重構造からなり、前記内側容器と前記外側容器は接着材で接着され一体化されている、
ことを特徴とする請求項１に記載の飲料用容器。
【請求項４】
前記ストロー孔が、前記吸口部及び前記容器本体部の側壁の外側領域、又は内側領域のいずれかに形成される場合、
前記内側容器又は前記外側容器のいずれか一方に前記ストロー孔を形成するための凹部を有する、
ことを特徴とする請求項２又は３に記載の飲料用容器。
【請求項５】
前記内側容器又は前記外側容器のいずれか一方に形成された前記ストロー孔を形成するための前記凹部の長さ方向左右両端部をシールする突出部が、前記外側容器又は前記内側容器のいずれか一方に形成されている、
ことを特徴とする請求項４に記載の飲料用容器。
【請求項６】
前記ストロー孔が、前記吸口部の内部領域及び前記容器本体部の側壁の内部領域に形成される場合、
前記内側容器の外側面及び前記外側容器の内側面の両方に前記ストロー孔を形成するための凹部を有する、
ことを特徴とする請求項２又は３に記載の飲料用容器。
【請求項７】
前記内側容器及び前記外側容器には、前記ストロー孔を正確に形成するための位置合わせ部を有する、
ことを特徴とする請求項２ないし６のいずれか１項に記載の飲料用容器。
【請求項８】
前記内側容器及び前記外側容器は、いずれか一方が硬質樹脂素材又は金属で成形され、他方が軟質樹脂素材で成形される、
ことを特徴とする請求項２ないし７のいずれか１項に記載の飲料用容器。
【請求項９】
前記内側容器及び前記外側容器は、いずれも硬質樹脂素材又は軟質樹脂素材で成形される、
ことを特徴とする請求項２ないし７のいずれか１項に記載の飲料用容器。
【請求項１０】
前記内側容器は着色された不透明容器であり、前記外側容器は透明又は半透明な容器である、
ことを特徴とする請求項２ないし９のいずれか１項に記載の飲料用容器。
【請求項１１】
前記内側容器及び前記外側容器は、いずれも透明容器、又は半透明容器、又は不透明容器である、
ことを特徴とする請求項２ないし９のいずれか１項に記載の飲料用容器。
【請求項１２】
前記内側容器には、側面視において前記容器本体部の前記開口部の上面から突出する凸状のつまみが形成されている、
ことを特徴とする請求項２に記載の飲料用容器。
【請求項１３】
前記内側容器には、前記容器本体部の前記開口部の下方に凹状切欠きが形成されている、
ことを特徴とする請求項２に記載の飲料用容器。
【請求項１４】
前記内側容器が硬質樹脂素材又は金属で、前記外側容器が軟質樹脂素材で、それぞれ成形され、
前記内側容器の底部には、前記外側容器の底部から押圧可能な被押圧部が形成されている、
ことを特徴とする請求項２に記載の飲料用容器。
【請求項１５】
前記内側容器は底面部を有さない筒状体であり、前記外側容器に挿入嵌合した状態において、前記内側容器の先端部と前記外側容器の底面部との間は、前記ストロー孔が開口する隙間が形成されている、
ことを特徴とする請求項２ないし１４のいずれか１項に記載の飲料用容器。
【請求項１６】
前記内側容器は底面部を有さない筒状体であり、前記外側容器に挿入嵌合した状態において、前記内側容器の先端部と前記外側容器の底面部は当接しており、前記内側容器の一部は、前記ストロー孔と連通する切欠きが形成されている、
ことを特徴とする請求項２ないし１４のいずれか１項に記載の飲料用容器。  
【請求項１７】
前記内側容器は底面部を有し、前記外側容器に挿入嵌合した状態において、前記内側容器の底面部と前記外側容器の底面部は当接しており、前記内側容器の一部は、前記ストロー孔と連通する開口が形成されている、
ことを特徴とする請求項２ないし１４のいずれか１項に記載の飲料用容器。  
【請求項１８】
前記ストロー孔の長さ方向左右両側近傍に、前記内側容器と前記外側容器との隙間をシールするパッキンが設けられている、
ことを特徴とする請求項２ないし１７のいずれか１項に記載の飲料用容器。  
【請求項１９】
前記内側容器は、その内周面に内方に突出する１又は複数の攪拌翼を有する、
ことを特徴とする請求項２に記載の飲料用容器。
【請求項２０】
前記攪拌翼は、スクリュー翼形状である、
ことを特徴とする請求項１９に記載の飲料用容器。
【請求項２１】
前記飲料用容器は樹脂で一体形成されており、一体形成された前記吸口部及び前記容器本体部の側壁の内部領域又は外側領域又は内側領域のいずれかに前記ストロー孔がくり抜き形成されている、
ことを特徴とする請求項１に記載の飲料用容器。
【請求項２２】
前記飲料用容器は、透明又は半透明樹脂で一体成形されており、その内側側面は着色剤によって不透明に着色されている、
ことを特徴とする請求項２１に記載の飲料用容器。
【請求項２３】
前記容器本体部の前記開口部を閉鎖する着脱自在な開口部蓋体を更に有する、
ことを特徴とする請求項１ないし２２のいずれか１項に記載の飲料用容器。
【請求項２４】
前記開口部蓋体は、前記飲料用容器とは別体であり、前記容器本体部の開口部に対して、圧入式又はネジ式によって装着する、
ことを特徴とする請求項２３に記載の飲料用容器。
【請求項２５】
前記開口部蓋体は、前記容器本体部にヒンジで連結されている、
ことを特徴とする請求項２３に記載の飲料用容器。
【請求項２６】
前記吸口部を閉鎖する着脱自在な吸口部蓋体を更に有する、
ことを特徴とする請求項１ないし２２のいずれか１項に記載の飲料用容器。
【請求項２７】
前記吸口部及び前記容器本体部の前記開口部を同時に閉鎖する着脱自在な全蓋体を更に有する、
ことを特徴とする請求項１ないし２２のいずれか１項に記載の飲料用容器。
【請求項２８】
前記ストロー孔の内部には、前記容器本体部の外側から内側に向けて前記ストロー孔が形成されている部分が押圧されることで開放され、押圧を解除することで前記容器本体部に収容されている飲料が外部に放出されることを阻止する弁を更に有する、
ことを特徴とする請求項１ないし２７に記載の飲料用容器。
【請求項２９】
前記ストロー孔は、前記容器本体部の側壁に直線、又は螺旋、又は曲線蛇行状態、又はそれらの組合せで形成されている、
ことを特徴とする請求項１ないし２８のいずれか１項に記載の飲料用容器。
【請求項３０】
ストロー機能を備えた飲料用容器であって、
前記飲料用容器は、
容器本体部と、側面視において前記容器本体部の開口部上面から突出する１又は複数の吸口部とから構成され、
前記吸口部及び前記容器本体部の側面に、前記吸口部の先端から前記容器本体部の底部に繋がる凹部が連続して形成され、前記凹部の下端は前記容器本体部の底部に開口し、
前記凹部は、前記吸口部及び前記容器本体部の外側に貼付けられた紙又は樹脂フィルムによって塞がれ、
前記凹部及び前記紙又は前記樹脂フィルムによって囲まれた空間によって、飲料流路となるストロー孔が形成されている、
ことを特徴とする飲料用容器。
【請求項３１】
前記吸口部及び前記容器本体部は、樹脂又は金属により一体成形されている、
ことを特徴とする請求項３０に記載の飲料用容器。
【請求項３２】
前記吸口部及び前記容器本体部を形成する前記樹脂は透明、又は半透明、又は不透明な樹脂である、
ことを特徴とする請求項３１に記載の飲料用容器。
【請求項３３】
前記ストロー孔は、前記容器本体部の側壁に直線、又は螺旋、又は曲線蛇行状態、又はそれらの組合せで形成されている、
ことを特徴とする請求項３０ないし３２のいずれか１項に記載の飲料用容器。
【請求項３４】
前記樹脂フィルムは、透明又は半透明樹脂フィルムである、
ことを特徴とする請求項３０ないし３３のいずれか１項に記載の飲料用容器。
【請求項３５】
前記容器本体部の底部は、１〜１０ｍｍ底上げされている、
ことを特徴とする請求項３０ないし３４のいずれか１項に記載の飲料用容器。
【発明の詳細な説明】
【技術分野】
【０００１】
本発明は、ストロー機能を備えた飲料用容器に関する。
【背景技術】
【０００２】
飲料用カップを始めとする飲料用容器に注がれている飲料は、ストローを使用して飲むのが一般的である。しかしながら、一般的なストローはプラスチック（樹脂）で形成されており、コンビニ等で販売されているストロー付き飲料を飲み終わった後はゴミ箱にそのまま捨てられ、また家庭用や多くの飲食店用のストローも使い捨てであるため、プラスチック廃棄物処理としての費用を要し、環境問題に対しても優しくない。
【０００３】
また近年、海洋生物がプラスチックゴミを食べてしまい、生態系に大きな影響が出ていることが問題となっているが、海水浴等で海を訪れた者が、飲み終わったストローをそのまま海岸に捨てたり、河川からの流入等によって、上記したプラスチックゴミ発生の一因にもなっている。
【０００４】
こうした現状を背景として、米国を始め台湾やイギリスでもプラスチック製ストローの使用を禁止する動きが出ており、こうした取り組みは世界各国で加速しているが、プラスチック製ストローの代替案としては、紙製や竹製などと言った環境に優しい素材への変更であり、ストローそのものを無くすものでは無い。
【０００５】
また従来、マドラーとストローを兼用するものが提案されているが（特許文献１）、結局、これも使い捨てであるため、環境問題解決の一助にはならない。また、二重容器の内側容器にご飯類を、外側容器に汁物を収容し、外側容器と内側容器の間に上下方向の孔を形成する食品収納容器が知られているが（特許文献２）、当該孔はストローを挿入するための孔であるため、ストローを使用することが前提の容器に過ぎない。
【先行技術文献】
【特許文献】
【０００６】
【特許文献１】特開２００２−１０４５４１号公報
【特許文献２】実公平４−２６３７８号公報
【発明の概要】
【発明が解決しようとする課題】
【０００７】
本願発明は、どのような素材であれストローそのものを別途使用しなくても、容器に備えられたストロー機能によって容器内の飲料を飲むことができ、使い捨てのストローが生む環境汚染問題の解決に貢献可能な飲料用容器を提供することを目的とするものである。
【課題を解決するための手段】
【０００８】
上記目的を達成するため、本願の第一の発明は、ストロー機能を備えた飲料用容器であって、前記飲料用容器は、容器本体部と、側面視において前記容器本体部の開口部の上面から突出する１又は複数の吸口部とから構成され、前記吸口部の内部領域又は外側領域又は内側領域のいずれかの領域、及び前記容器本体部の側壁の内部領域又は外側領域又は内側領域のいずれかの領域に、飲料流路となるストロー孔が連続して形成され、前記ストロー孔の一端は前記吸口部の上端部に開口し、他端は前記容器本体部の内面底部に開口している、ことを特徴とする。
【０００９】
また本願の第二の発明は、ストロー機能を備えた飲料用容器であって、  前記飲料用容器は、容器本体部と、側面視において前記容器本体部の開口部上面から突出する１又は複数の吸口部とから構成され、前記吸口部及び前記容器本体部の側面に、前記吸口部の先端から前記容器本体部の底部に繋がる凹部が連続して形成され、前記凹部の下端は前記容器本体部の底部に開口し、前記凹部は、前記吸口部及び前記容器本体部の外側に貼付けられた紙又は樹脂フィルムによって塞がれ、前記凹部及び前記紙又は前記樹脂フィルムによって囲まれた空間によって、飲料流路となるストロー孔が形成されている、ことを特徴とする。
【発明の効果】
【００１０】
上記構成を有する本願の第一、第二の発明によれば、容器そのものにストロー機能を備えていることから、ストローのポイ捨て等による環境汚染問題を防止でき、また容器を洗浄すれば何度でも使用可能であるため経済的にも有益である。
【００１１】
また、第一の発明に係る一実施形態として外側容器を透明容器とし、内側容器を着色された不透明容器とすることで、或いは透明容器の内側面を着色することで、外部から容器内部の飲料残量をストロー孔によって一目で確認することができるとともに、ストロー孔を螺旋状態や曲線蛇行状態等にすることで、特に女性や子供にとって、飲料の吸い込み時の楽しさを増すことができる。
【００１２】
また、第一の発明に係る一実施形態として内側容器の内周面に攪拌翼を形成すれば、ストロー孔をセットする前に、内側容器を回転させることで内容物を攪拌させるマドラー機能も合わせて持たせることができ、ストローだけでなくマドラーをも不要とすることができる。
【００１３】
また第二の発明によれば、構成が簡単で製造コストを抑えることができ、特にテイクアウト用の飲料容器として最適である。
【図面の簡単な説明】
【００１４】
【図１】本願第一発明の第一実施形態に係る飲料用容器の全体斜視図
【図２】本願第一発明の第一実施形態に係る飲料用容器の分解斜視図
【図３】本願第一発明の第一実施形態に係るストロー孔の垂直方向断面図
【図４】本願第一発明の第一実施形態に係るストロー孔の水平方向断面図
【図５】本願第一発明の第二実施形態に係るストロー孔の水平方向断面図
【図６】本願第一発明の第三実施形態に係るストロー孔の水平方向断面図
【図７】本願第一発明の第四実施形態に係るストロー孔の水平方向断面図
【図８】本願第一発明の第五実施形態に係るストロー孔の水平方向断面図
【図９】本願第一発明の第六実施形態に係るストロー孔の水平方向断面図
【図１０】本願第一発明の第七実施形態に係るストロー孔の水平方向断面図
【図１１】本願第一発明の第一から第四実施形態に採用される内側容器を外側容器から取り出すための凸部構造図
【図１２】本願第一発明の第一から第四実施形態に採用される内側容器を外側容器から取り出すための凹部切欠き構造図
【図１３】本願第一発明の第一から第四実施形態に採用される内側容器内周面に突出する攪拌翼の構造図
【図１４】本願第一発明の各実施形態に採用される各種ストロー孔の側面図
【図１５】本願第一発明の各実施形態に採用される開口部蓋の構造図
【図１６】本願第二発明の実施形態に係る飲料用容器の全体斜視図
【図１７】本願第二発明の実施形態に係る飲料用容器の分解斜視図
【図１８】ストロー孔のシール構造を説明する断面図
【図１９】内側容器の底部に形成された被押圧部の構造を示す断面図
【発明を実施するための最良の形態】
【００１５】
以下、本願発明に係る各種の実施形態について詳細に説明する。なお、本願発明で言う飲料用容器とは、一般家庭や飲食店内で使用するカップ、テイクアウト用の容器、屋外で携帯する水筒など、内部に飲料を収納する全ての飲料用容器を意味するものである。また、本願発明で言うストロー孔とは、容器に形成される液体物の流路（飲料流路）であって、容器と別体のストローを意味するものではない。
【００１６】
まず、本願の第一発明に係る各種の実施形態は、大きく２つのタイプに分けられる。図１〜図６に示す各実施形態は、飲料用容器を内側容器と外側容器の２重構造としたものであり、図７〜９に示す各実施形態は、飲料用容器を樹脂で一体形成したものである。
【００１７】
図１、図２は、本願第一発明の第一実施形態に係る飲料用容器１の全体斜視図、及び分解斜視図であり、飲料用容器１は、容器本体部２と吸口部３とから構成され、当該容器本体部２と吸口部３を有する内側容器４と外側容器５とを着脱自在に嵌合するよう構成されており、容器本体部２の開口部の上面から吸口部３が突出形成されている。本実施形態において、容器本体部２と吸口部３は、それぞれ内側容器４と外側容器５とが重なり合うことで形成される。
【００１８】
吸口部３の上端部には、ストロー孔６の一端が開口しており、当該ストロー孔６は、図３、図４に示すとおり、外側容器５の外方に膨出するように形成した凸部の内面（凹部）と、内側容器４の外周面とで区画された部分によって、吸口部３から容器本体部２に連続して形成され、飲料の通り道となるものであり、当該ストロー孔６の他端は容器本体部２（外側容器５）の底面部に開口している。
【００１９】
本実施形態では、図１に示すとおり、外側容器５はストロー孔６を形成するための凸部が縦方向に連続して形成されるため、補強リブの機能を合わせ持つことで外側容器５の強度を高めることができる。
【００２０】
本実施形態では、内側容器４は底面部を有さない筒状体であり、図３に示すとおり、外側容器５に挿入嵌合した状態において、内側容器４の先端部と外側容器５の底面部との間は、ストロー孔６の開口が現れる隙間Ｘが形成されるようになっている。なお、内側容器４の先端部と外側容器５の底面部を当接させ、内側容器４の一部に、ストロー孔６と連通する切欠きを形成しても良い。更には、内側容器４は底面部を有し、外側容器５に挿入嵌合した状態において、内側容器４の底面部と外側容器５の底面部を当接させ、内側容器４の一部にストロー孔６と連通する開口を形成しても良い。
【００２１】
吸口部３に形成されるストロー孔６は、内側容器４と外側容器５とを正確に位置合わせすることで形成されるため、内側容器４と外側容器５には、この位置合わせを容易にするための位置決め用凹凸（位置合わせ部）７が形成されている。位置決め用凹凸７は、内側容器４に凸、外側容器５に凹を形成しても、或いはその逆であっても良い。使用者は、外側容器５に内側容器４を挿入する際に、当該位置決め用凹凸７を合わせることで、正しい状態にセットすることができる。なお、本実施形態において、位置決め用凹凸（位置合わせ部）７は、内側容器４及び外側容器５の縦方向の一部分に形成しているが、縦方向の全長に渡って形成しても良い。
【００２２】
また吸口部３に形成されるストロー孔６の位置合わせが正確であったとしても、内側容器４と外側容器５の製造誤差や材質等によって、ストロー孔６の周辺に隙間ができ、真空状態で吸い込むことが難しくなる。そのため、本実施形態では、飲料用容器１としての強度を確保するために内側容器４を硬質プラスチック（例えば、ポリプロピレン（ＰＰ）、高密度ポリエチレン（ＨＤＰＥ）、ポリエチレンテレフタレート（ＰＥＴ）、ポリシクロヘキサンジメチレンテレフタレート（ＰＣＴ）、ポリメチルペンテン（ＴＰＸ）等）又は金属製とする一方、外側容器５を軟質樹脂（例えば、直鎖状低密度ポリエチレン（Ｌ-ＬＤＰＥ）、熱可塑性エラストマー（ＴＰＥ）、シリコン樹脂（Ｓｉ）等）とすることで、内側容器４と外側容器５との密着性、ストロー孔６の気密性を高めている。なお、気密性を高める他の方法として、ストロー孔６を形成する内側容器４と外側容器５の長さ方向左右両端に、内側容器４と外側容器５との隙間をシールするゴム製のパッキン等を挟み込んでも良い。当該パッキンは、内側容器４又は外側容器５に、予めその一部が埋め込まれていても良い。また、外側容器５の軟質樹脂は、前記樹脂のブレンドであっても良い。
【００２３】
更にストロー孔６の気密性を高める他の方法として、図１８（ａ）に示すとおり、外側容器５に形成されたストロー孔６の長さ方向左右両端部をシールする突出部１４を、内側容器４に形成してもよい。上記した気密性を高める各種の方法は、一つでもよく複数を適宜に組み合わせて採用しても良い。
【００２４】
本実施形態では、内側容器４を着色された不透明容器とし、外側容器５を透明又は半透明な容器としている。また単純な着色ではなく、各種の図形やイラストを描いて不透明にしても良い。この構成によれば、使用者は容器に収容した飲料の残量を、ストロー孔６に現れる飲料柱によって確認することができる。
【００２５】
更に、ストロー孔６の形状を、直線形状のみならず例えば図１４に示すような蛇行する曲線状、又は螺旋状、又はそれらの組合せ等の様々な形状とすることで、内側容器４の色や模様を背景として容器本体部２内の飲料が様々な形状で上昇し、特に子供や女性にとって、楽しく使用することが可能となる。もちろん、内側容器４及び外側容器５ともに透明容器、半透明容器であっても、ともに不透明容器であっても構わない。なお、上記した容器を着色するか、或いは透明とするかは、以下説明する第二実施形態から第四実施形態についても同様である。
【００２６】
図５は、本願発明の第二実施形態に係る飲料用容器１のストロー孔６の構造を示す水平方向断面図である。本第二実施形態に示す飲料用容器１は、第一実施形態と同様に、内側容器４と外側容器５が着脱自在に嵌合されて構成されており、容器本体部２の開口部上面から吸口部３が突出している。
【００２７】
図５に示す通り、本実施形態のストロー孔６は、外側容器５の外方に膨出するように形成した凸部の内面（凹部）と、内側容器４の内方に膨出するように形成した凸部の内面（凹部）で区画された部分によって形成され、飲料の通り道となるものである。この構成によれば、第一実施形態のストロー孔６に比べて、断面積を大きくすることができ、粒入り飲料であってもストロー孔６が詰まることなく、粒入り飲料も容易に吸うことができる。なお、本実施形態及び以下説明する他の実施形態において、ストロー孔６の垂直方向断面図は、基本的に第一実施形態の垂直方向断面図に基づいて容易に理解し得るため、省略する。
【００２８】
本実施形態では、内側容器４及び外側容器５の両方にストロー孔６を形成するための凸部が縦方向に連続して形成されるため、補強リブの機能を合わせ持つことで、内側容器４及び外側容器５の強度を高めることができる。
【００２９】
図６は、本願発明の第三実施形態に係る飲料用容器１のストロー孔６の構造を示す水平方向断面図である。本第三実施形態に示す飲料用容器１は、第一、第二実施形態と同様に、内側容器４と外側容器５が着脱自在に嵌合されて構成されており、容器本体部２の開口部上面から吸口部３が突出している。
【００３０】
図６に示す通り、本実施形態のストロー孔６は、外側容器５の側壁内側に形成した凹部の内面と、内側容器４の側壁外側に形成した凹部の内面で区画された部分によって形成され、飲料の通り道となるものである。この構成によれば、第一、第二実施形態のストロー孔６に比べて断面積は小さくなるものの、内側容器４の内面、外側容器５の外周面は突出部の無い通常の容器と同じ曲面となるため、使用者は飲料用容器１を掴みやすく、かつ飲料用容器１を整然と積み重ねて（スタックさせて）収納・保管することができる。
【００３１】
図７は、本願発明の第四実施形態に係る飲料用容器１のストロー孔６の構造を示す水平方向断面図である。本第四実施形態に示す飲料用容器１は、第一から第三実施形態と同様に、内側容器４と外側容器５が着脱自在に嵌合されて構成されており、容器本体部２の開口部上面から吸口部３が突出している。
【００３２】
図７に示す通り、本実施形態のストロー孔６は、外側容器５の内周面と、内側容器４の内方に膨出する凸部の内面（凹部）で区画された部分によって形成され、飲料の通り道となるものである。この構成によれば、上記第三実施形態と同様に、外側容器５の外周面は突出部の無い通常の容器と同じ曲面となるため、使用者が飲料用容器１を掴みやすい形状とすることができる。
【００３３】
本実施形態では、内側容器４にストロー孔６を形成するための凸部が縦方向に連続して形成されるため、補強リブの機能を合わせ持つことで、内側容器４の強度を高めることができる。
【００３４】
また、ストロー孔６の気密性を高める方法として、第一実施形態と同様に、図１８（ｂ）に示すとおり、内側容器４に形成されたストロー孔６の長さ方向左右両端部をシールする突出部１４を、外側容器５に形成してもよい。
【００３５】
以上説明した本願発明の第一から第四実施形態に係る基本構造によれば、内側容器４と外側容器５を着脱式の２重構造としているため、ストロー孔６を含む飲料用容器１を洗浄する際は、内側容器４を外側容器５から取り外してバラバラの状態とし、これによってストロー孔６を形成する各凹部が開放されることで、その洗浄が極めて容易となる。
【００３６】
なお飲料用容器１を洗浄する際、内側容器４を外側容器５から取り外す必要があるが、内側容器４と外側容器５との狭い隙間に液体が入り込み、液体の表面張力によって、取り外し難い場合がある。そのため、図１１、図１２に示す通り、内側容器４に取り外しが容易となる構造を採用しても良い。
【００３７】
例えば、図１１に示すものは、内側容器４に、側面視において容器本体部２の開口部上面から突出する凸状つまみ８を複数形成したものであり、使用者が当該凸状つまみ８を指で摘まんで外側容器５から内方に剥がすようにして引っ張り上げるようにしたものである。
【００３８】
また図１２に示すものは、内側容器４の開口部下方に凹状切欠き９を形成したものであり、当該凹状切欠き９に対応する治具を挟み込んで引っ張り上げるようにしたものである。
【００３９】
また、特に内側容器４を硬質樹脂又は金属で構成し、外側容器５を軟質樹脂で構成する場合、図１９に示すとおり、内側容器４の底部に、外側容器５の底部から押圧可能な被押圧部１５を形成し、使用者が外側容器５の底部を押圧することで、被押圧部１５にその力が加わり、内側容器４を上方に押し上げ、内側容器４を外側容器５から取り外しやすくするようにしてもよい。また、被押圧部１５を設置する場所、及びその数は、適宜に決定すれば良い。
【００４０】
更に、本願発明の第一から第四実施形態に係る基本構造によれば、ストロー孔６をセットする前段階において、内側容器４は外側容器５に対してフリーに回転させることができる。そこで、図１３に示すとおり、内側容器４の内周面に攪拌翼１０を突出形成すれば、内側容器４を回転させることによって攪拌翼１０が容器内に収容されている飲料を掻き混ぜることができ、マドラー機能をも合わせ持つことができる。
【００４１】
攪拌翼１０は、図１３に示した形状だけでなく、スクリュー翼など容器内に収容されている飲料を掻き混ぜることができるものであれば、どのような形状であっても良い。
【００４２】
更に、第一実施形態と同様に、第二から第四実施形態に係るストロー孔６についても、図１４に示す蛇行する曲線状、螺旋状等の様々な形状とすることができる。その場合、第一実施形態で説明したように、蛇行する曲線状、螺旋状等の様々な形状に沿って飲料が上昇することで、子供や女性にとって、楽しく使用することが可能となる。
【００４３】
更に、第一実施形態で説明したゴム製のパッキン等でストロー孔６をシールする方法は、第二から第四実施形態にも適用可能であり、また第一実施形態と同様に、気密性を高める方法は、一つでも、或いは複数を適宜に組み合わせて採用してもよい。なお、図５〜図７に示す第二から第四実施形態においても位置決め用凹凸７を採用した例を示しているが、各実施形態において位置決め用凹凸７が無い構成であっても良い。
【００４４】
更に、以上説明した第一から第四実施形態に係る構造は、内側容器４と外側容器５を着脱式としているが、両者を接着剤で固定して一体化しても良い（この場合、内側容器４を外側容器５から取り外して洗浄することはできず、また上記攪拌翼１０によるマドラー機能も付加することはできない）。ストロー孔６を洗浄する場合には、細長いブラシを用いて洗浄する。
【００４５】
図８は、本願発明の第五実施形態に係る飲料用容器１のストロー孔６の構造を示す水平方向断面図である。本第五実施形態に示す飲料用容器１は、内側容器４と外側容器５の２重構造ではなく、樹脂一体成形によって構成されており、容器本体部２の開口部上面から吸口部３が突出している。
【００４６】
図８に示す通り、本実施形態のストロー孔６は、飲料用容器１の側壁の一部を外側及び内側に膨出させ、その中央にストロー孔６を形成するものである。ストロー孔６は、樹脂で一体形成された飲料用容器１に対し、ドリル等を用いて穿孔しても良く、金型で一体成形しても、３Ｄプリンターを用いて成形しても良い。金型で成形する場合、完成した飲料用容器１の底部側面に、ドリル等を用いてストロー孔６に連通する開口を穿孔する。
【００４７】
図９は、本願発明の第六実施形態に係る飲料用容器１のストロー孔６の構造を示す水平方向断面図である。本第六実施形態に示す飲料用容器１は、第五実施形態と同様に、樹脂一体成形によって構成されており、容器本体部２の開口部上面から吸口部３が突出している。
【００４８】
図９に示す通り、本実施形態のストロー孔６は、飲料用容器１の側壁の一部を外側に膨出させ、その膨出した部分にストロー孔６を形成するものである。ストロー孔６の形成方法は、上記第五実施形態と同じである。
【００４９】
図１０は、本願発明の第七実施形態に係る飲料用容器１のストロー孔６の構造を示す水平方向断面図である。本第七実施形態に示す飲料用容器１は、第五、第六実施形態と同様に、樹脂一体成形によって構成されており、容器本体部２の開口部上面から吸口部３が突出している。
【００５０】
図１０に示す通り、本実施形態のストロー孔６は、飲料用容器１の側壁の一部を内側に膨出させ、その膨出した部分にストロー孔６を形成するものである。ストロー孔６の形成方法は、上記第五実施形態と同じである。
【００５１】
以上説明した本願発明の第五から第七実施形態に係る基本構造によれば、飲料用容器１は、内側容器４及び外側容器５の二重構造とする必要がなく、第一から第四実施形態に比べて構造が簡単で製造が容易であり、ストロー孔６の気密性を高めるためのシール等を必要としない。ストロー孔６の内部を洗浄する場合には、細長いブラシを用いて洗浄する。
【００５２】
また、飲料用容器１を透明又は半透明な樹脂で形成し、容器の内周面を着色して不透明にすれば、第一から第四実施形態と同様に、使用者は飲料用容器１に収容した飲料の残量を、ストロー孔６に現れる飲料柱によって確認することができ、子供や女性にとって、楽しく使用することが可能となる。もちろん、全体を透明容器、半透明容器、不透明容器としても構わない。
【００５３】
また、飲料用容器１の側壁外方及び／又は内方にストロー孔６を形成するための凸部が縦方向に連続して形成されるため、補強リブの機能を合わせ持つことで、飲料用容器１の強度を高めることができる。
【００５４】
更に、上記した第一から第七の各実施形態において、ストロー孔６の一部途中箇所に弁（図示せず）を設けても良い。この弁は、使用者が容器本体部２を外側から押圧することで開放されて飲料を吸うことができ、押圧を解除することで閉じる構成のものである。この場合、容器本体部２の開口部には、図１５に示す開口部蓋体１１を着脱自在に用いることで、飲料用容器１が倒れた場合であっても、開口部及びストロー孔６から内容物が外に漏れ出す恐れがない。なお、開口部蓋体１１は弁を用いない場合であっても、容器本体部２に装着しても良い。更に、開口部蓋体１１は、容器本体部２の開口部に対し、圧入式やネジ式で装着するか、或いはヒンジによって容器本体部２に連結しても良い。
【００５５】
また、吸口部３にも着脱自在な吸口部蓋体を設けてもよく、開口部蓋体１１と吸口部蓋体を一体化した全蓋体としても良い（図示せず）。吸口部蓋体や全蓋体を設ける場合、上記した弁は特に必要としない。
【００５６】
更に、上記した第一から第七の各実施形態においては、吸口部３が１個の例を示しているが、吸口部３は、複数人が同時に吸えるよう、或いは複数人が各人の吸口部３を使用できるよう複数形成しても良い。その場合、ストロー孔６は各吸口部３と一対一で対応する数を形成してもよく、或いは、容器底部に開口した１つのストロー孔６が途中から分岐して各吸口部３に繋がるように構成しても良い。
【００５７】
更に、上記した第一から第七の各実施形態において、吸口部３は、側面視において容器本体部２の側壁の延長線上（一直線上）に突出しているが、吸口が使用者側を向くよう円弧を描いて屈曲させても良く、或いは、使用者によって吸口の角度や形状を自由に変化させることができるよう、吸口部３を柔軟な素材で形成しても良い。
【００５８】
図１６、図１７は、本願の第二発明の実施形態に係る飲料用容器１の全体斜視図、及び分解斜視図である。図示するように、第二発明の実施形態に係る飲料用容器１は、容器本体部２と、側面視において容器本体部２の開口部上面から突出する吸口部３とに渡って、連続する凹部１２がその側面に形成されるよう樹脂で一体成形し、凹部１２の最下端は、容器本体部２の底部に開口されており、当該凹部１２は、容器本体部２及び吸口部３の外側に貼付けられた紙又は樹脂フィルム１３によって塞がれ、凹部１２及び紙又は樹脂フィルム１３によって囲まれた空間によって、飲料流路となるストロー孔６が形成されるものである。
【００５９】
なお、容器本体部２の底部は、１〜１０ｍｍ程度底上げされた構造となっており、上記凹部１２は、容器本体部２の底部で終わっている。この構成により、凹部１２の下側領域におけるシールを確実に行うことができる。なお、紙又は樹脂フィルム１３を容器底面で折り返すようにシールする場合、底上げしなくても良い。
【００６０】
容器本体部２及び吸口部３を不透明な樹脂で形成し、透明又は半透明な樹脂フィルム１３を貼り付ける場合、第一発明の各実施形態と同様に、ストロー孔６内を上昇する飲料を外から見ることができる。また、ストロー孔６は、図１４に示す各種の形状とすることもできる。
【００６１】
上記した第二発明は、第一発明に比べて構成が簡単で、その製造コストを抑えることができ、特に樹脂製の場合にはテイクアウト用の使い捨て飲料用容器に適しているが、金属製の場合、紙又は樹脂フィルム１３を取り替えることでリユースも可能である。
【００６２】
以上、本願発明に係る飲料用容器によれば、容器そのものにストロー機能を備えていることから、ストローのポイ捨て等による環境汚染問題を防止でき、また容器を洗浄すれば何度でも使用可能であるため経済的にも有益である。
【符号の説明】
【００６３】
１  飲料用容器
２  容器本体部
３  吸口部
４  内側容器
５  外側容器
６  ストロー孔（飲料流路）
７  位置決め用凹凸（位置合わせ部）
８  凸状つまみ
９  凹状切欠き
１０  攪拌翼
１１  開口部蓋体
１２  凹部
１３  紙又は樹脂フィルム
１４  突出部
１５  被押圧部
【図１】
2020018677.tif 000003
【図２】
2020018677.tif 000004
【図３】
2020018677.tif 000005
【図４】
2020018677.tif 000006
【図５】
2020018677.tif 000007
【図６】
2020018677.tif 000008
【図７】
2020018677.tif 000009
【図８】
2020018677.tif 000010
【図９】
2020018677.tif 000011
【図１０】
2020018677.tif 000012
【図１１】
2020018677.tif 000013
【図１２】
2020018677.tif 000014
【図１３】
2020018677.tif 000015
【図１４】
2020018677.tif 000016
【図１５】
2020018677.tif 000017
【図１６】
2020018677.tif 000018
【図１７】
2020018677.tif 000019
【図１８】
2020018677.tif 000020
【図１９】
2020018677.tif 000021
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
ストロー機能を備えた飲料用容器であって、
前記飲料用容器は、内側容器と外側容器の２重構造からなり、前記内側容器は前記外側容器に対して着脱自在に嵌合されるとともに、
前記飲料用容器は、容器本体部と、側面視において前記容器本体部の開口部の上面から突出する１又は複数の吸口部とから構成され、
前記内側容器の外側及び前記外側容器の内側、或いは、前記内側容器の外側又は前記外側容器の内側いずれか一方に、飲料流路となるストロー孔を形成するための凹部が連続して形成され、    前記ストロー孔の一端は前記吸口部の上端部に開口し、他端は前記容器本体部の内面底部に開口している、
ことを特徴とする飲料用容器。
【請求項２】
前記凹部の長さ方向左右両端部をシールする突出部が、前記外側容器又は前記内側容器のいずれか一方に形成されている、
ことを特徴とする請求項１に記載の飲料用容器。
【請求項３】
前記内側容器及び前記外側容器には、前記ストロー孔を正確に形成するための位置合わせ部を有する、
ことを特徴とする請求項１又は２に記載の飲料用容器。
【請求項４】
前記内側容器及び前記外側容器は、いずれか一方が硬質樹脂素材又は金属で成形され、他方が軟質樹脂素材で成形される、
ことを特徴とする請求項１ないし３のいずれか１項に記載の飲料用容器。
【請求項５】
前記内側容器及び前記外側容器は、いずれも硬質樹脂素材又は軟質樹脂素材で成形される、
ことを特徴とする請求項１ないし３のいずれか１項に記載の飲料用容器。
【請求項６】
前記内側容器は着色された不透明容器であり、前記外側容器は透明又は半透明な容器である、
ことを特徴とする請求項１ないし５のいずれか１項に記載の飲料用容器。
【請求項７】
前記内側容器及び前記外側容器は、いずれも透明容器、又は半透明容器、又は不透明容器である、
ことを特徴とする請求項１ないし５のいずれか１項に記載の飲料用容器。
【請求項８】
前記内側容器には、側面視において前記容器本体部の前記開口部の上面から突出する凸状のつまみが形成されている、
ことを特徴とする請求項１ないし７のいずれか１項に記載の飲料用容器。
【請求項９】
前記内側容器には、前記容器本体部の前記開口部の下方に凹状切欠きが形成されている、
ことを特徴とする請求項１ないし８のいずれか１項に記載の飲料用容器。
【請求項１０】
前記内側容器が硬質樹脂素材又は金属で、前記外側容器が軟質樹脂素材で、それぞれ成形され、
前記内側容器の底部には、前記外側容器の底部から押圧可能な被押圧部が形成されている、
ことを特徴とする請求項１ないし３のいずれか１項に記載の飲料用容器。
【請求項１１】
前記内側容器は底面部を有さない筒状体であり、前記外側容器に挿入嵌合した状態において、前記内側容器の先端部と前記外側容器の底面部との間は、前記ストロー孔が開口する隙間が形成されている、
ことを特徴とする請求項１ないし１０のいずれか１項に記載の飲料用容器。
【請求項１２】
前記内側容器は底面部を有さない筒状体であり、前記外側容器に挿入嵌合した状態において、前記内側容器の先端部と前記外側容器の底面部は当接しており、前記内側容器の一部は、前記ストロー孔と連通する切欠きが形成されている、
ことを特徴とする請求項１ないし１０のいずれか１項に記載の飲料用容器。  
【請求項１３】
前記内側容器は底面部を有し、前記外側容器に挿入嵌合した状態において、前記内側容器の底面部と前記外側容器の底面部は当接しており、前記内側容器の一部は、前記ストロー孔と連通する開口が形成されている、
ことを特徴とする請求項１ないし１０のいずれか１項に記載の飲料用容器。  
【請求項１４】
前記ストロー孔の長さ方向左右両側近傍に、前記内側容器と前記外側容器との隙間をシールするパッキンが設けられている、
ことを特徴とする請求項１ないし１３のいずれか１項に記載の飲料用容器。  
【請求項１５】
前記内側容器は、その内周面に内方に突出する１又は複数の攪拌翼を有する、
ことを特徴とする請求項１ないし１４のいずれか１項に記載の飲料用容器。
【請求項１６】
前記攪拌翼は、スクリュー翼形状である、
ことを特徴とする請求項１５に記載の飲料用容器。
【請求項１７】
前記容器本体部の前記開口部を閉鎖する着脱自在な開口部蓋体を更に有する、
ことを特徴とする請求項１ないし１６のいずれか１項に記載の飲料用容器。
【請求項１８】
前記開口部蓋体は、前記飲料用容器とは別体であり、前記容器本体部の開口部に対して、圧入式又はネジ式によって装着する、
ことを特徴とする請求項１７に記載の飲料用容器。
【請求項１９】
前記開口部蓋体は、前記容器本体部にヒンジで連結されている、
ことを特徴とする請求項１７に記載の飲料用容器。
【請求項２０】
前記吸口部を閉鎖する着脱自在な吸口部蓋体を更に有する、
ことを特徴とする請求項１ないし１９のいずれか１項に記載の飲料用容器。
【請求項２１】
前記吸口部及び前記容器本体部の前記開口部を同時に閉鎖する着脱自在な全蓋体を更に有する、
ことを特徴とする請求項１ないし１６のいずれか１項に記載の飲料用容器。
【請求項２２】
前記ストロー孔の内部には、前記容器本体部の外側から内側に向けて前記ストロー孔が形成されている部分が押圧されることで開放され、押圧を解除することで前記容器本体部に収容されている飲料が外部に放出されることを阻止する弁を更に有する、
ことを特徴とする請求項１ないし２１に記載の飲料用容器。
【請求項２３】
前記ストロー孔は、直線、又は螺旋、又は曲線蛇行状態、又はそれらの組合せで形成されている、
ことを特徴とする請求項１ないし２２のいずれか１項に記載の飲料用容器。
【手続補正２】
【補正対象書類名】明細書
【補正対象項目名】全文
【補正方法】変更
【補正の内容】
【発明の詳細な説明】
【技術分野】
【０００１】
本発明は、ストロー機能を備えた飲料用容器に関する。
【背景技術】
【０００２】
飲料用カップを始めとする飲料用容器に注がれている飲料は、ストローを使用して飲むのが一般的である。しかしながら、一般的なストローはプラスチック（樹脂）で形成されており、コンビニ等で販売されているストロー付き飲料を飲み終わった後はゴミ箱にそのまま捨てられ、また家庭用や多くの飲食店用のストローも使い捨てであるため、プラスチック廃棄物処理としての費用を要し、環境問題に対しても優しくない。
【０００３】
また近年、海洋生物がプラスチックゴミを食べてしまい、生態系に大きな影響が出ていることが問題となっているが、海水浴等で海を訪れた者が、飲み終わったストローをそのまま海岸に捨てたり、河川からの流入等によって、上記したプラスチックゴミ発生の一因にもなっている。
【０００４】
こうした現状を背景として、米国を始め台湾やイギリスでもプラスチック製ストローの使用を禁止する動きが出ており、こうした取り組みは世界各国で加速しているが、プラスチック製ストローの代替案としては、紙製や竹製などと言った環境に優しい素材への変更であり、ストローそのものを無くすものでは無い。
【０００５】
また従来、マドラーとストローを兼用するものが提案されているが（特許文献１）、結局、これも使い捨てであるため、環境問題解決の一助にはならない。また、二重容器の内側容器にご飯類を、外側容器に汁物を収容し、外側容器と内側容器の間に上下方向の孔を形成する食品収納容器が知られているが（特許文献２）、当該孔はストローを挿入するための孔であるため、ストローを使用することが前提の容器に過ぎない。
【先行技術文献】
【特許文献】
【０００６】
【特許文献１】特開２００２−１０４５４１号公報
【特許文献２】実公平４−２６３７８号公報
【発明の概要】
【発明が解決しようとする課題】
【０００７】
本願発明は、どのような素材であれストローそのものを別途使用しなくても、容器に備えられたストロー機能によって容器内の飲料を飲むことができ、使い捨てのストローが生む環境汚染問題の解決に貢献可能な飲料用容器を提供することを目的とするものである。
【課題を解決するための手段】
【０００８】
上記目的を達成するため、本願発明は、ストロー機能を備えた飲料用容器であって、前記飲料用容器は、内側容器と外側容器の２重構造からなり、前記内側容器は前記外側容器に対して着脱自在に嵌合されるとともに、前記飲料用容器は、容器本体部と、側面視において前記容器本体部の開口部の上面から突出する１又は複数の吸口部とから構成され、前記内側容器の外側及び前記外側容器の内側、或いは、前記内側容器の外側又は前記外側容器の内側いずれか一方に、飲料流路となるストロー孔を形成するための凹部が連続して形成され、前記ストロー孔の一端は前記吸口部の上端部に開口し、他端は前記容器本体部の内面底部に開口している、ことを特徴とする。
【発明の効果】
【０００９】
上記構成を有する本願発明によれば、容器そのものにストロー機能を備えていることから、ストローのポイ捨て等による環境汚染問題を防止でき、また容器を洗浄すれば何度でも使用可能であるため経済的にも有益である。
【００１０】
また、本願発明に係る一実施形態として外側容器を透明容器とし、内側容器を着色された不透明容器とすることで、或いは透明容器の内側面を着色することで、外部から容器内部の飲料残量をストロー孔によって一目で確認することができるとともに、ストロー孔を螺旋状態や曲線蛇行状態等にすることで、特に女性や子供にとって、飲料の吸い込み時の楽しさを増すことができる。
【００１１】
また、他の実施形態として内側容器の内周面に攪拌翼を形成すれば、ストロー孔をセットする前に、内側容器を回転させることで内容物を攪拌させるマドラー機能も合わせて持たせることができ、ストローだけでなくマドラーをも不要とすることができる。
【図面の簡単な説明】
【００１２】
【図１】本願第一発明の第一実施形態に係る飲料用容器の全体斜視図
【図２】本願第一発明の第一実施形態に係る飲料用容器の分解斜視図
【図３】本願第一発明の第一実施形態に係るストロー孔の垂直方向断面図
【図４】本願第一発明の第一実施形態に係るストロー孔の水平方向断面図
【図５】本願第一発明の第二実施形態に係るストロー孔の水平方向断面図
【図６】本願第一発明の第三実施形態に係るストロー孔の水平方向断面図
【図７】本願第一発明の第四実施形態に係るストロー孔の水平方向断面図
【図８】本願第一発明の参考第五実施形態に係るストロー孔の水平方向断面図
【図９】本願第一発明の参考第六実施形態に係るストロー孔の水平方向断面図
【図１０】本願第一発明の参考第七実施形態に係るストロー孔の水平方向断面図
【図１１】本願発明の第一から第四実施形態に採用される内側容器を外側容器から取り出すための凸部構造図
【図１２】本願発明の第一から第四実施形態に採用される内側容器を外側容器から取り出すための凹部切欠き構造図
【図１３】本願発明の第一から第四実施形態に採用される内側容器内周面に突出する攪拌翼の構造図
【図１４】本願発明の各実施形態に採用される各種ストロー孔の側面図
【図１５】本願発明の各実施形態に採用される開口部蓋の構造図
【図１６】本願発明の参考第八施形態に係る飲料用容器の全体斜視図
【図１７】本願発明の参考第八実施形態に係る飲料用容器の分解斜視図
【図１８】ストロー孔のシール構造を説明する断面図
【図１９】内側容器の底部に形成された被押圧部の構造を示す断面図
【発明を実施するための最良の形態】
【００１３】
以下、本願発明に係る各種の実施形態について詳細に説明する。なお、本願発明で言う飲料用容器とは、一般家庭や飲食店内で使用するカップ、テイクアウト用の容器、屋外で携帯する水筒など、内部に飲料を収納する全ての飲料用容器を意味するものである。また、本願発明で言うストロー孔とは、容器に形成される液体物の流路（飲料流路）であって、容器と別体のストローを意味するものではない。
【００１４】
まず、本願発明に係る各種の実施形態は、大きく２つのタイプに分けられる。図１〜図６に示す各実施形態は、飲料用容器を内側容器と外側容器の２重構造としたものであり、図７〜９に示す各実施形態は、飲料用容器を樹脂で一体形成したものである。
【００１５】
図１、図２は、本願発明の第一実施形態に係る飲料用容器１の全体斜視図、及び分解斜視図であり、飲料用容器１は、容器本体部２と吸口部３とから構成され、当該容器本体部２と吸口部３を有する内側容器４と外側容器５とを着脱自在に嵌合するよう構成されており、容器本体部２の開口部の上面から吸口部３が突出形成されている。本実施形態において、容器本体部２と吸口部３は、それぞれ内側容器４と外側容器５とが重なり合うことで形成される。
【００１６】
吸口部３の上端部には、ストロー孔６の一端が開口しており、当該ストロー孔６は、図３、図４に示すとおり、外側容器５の外方に膨出するように形成した凸部の内面（凹部）と、内側容器４の外周面とで区画された部分によって、吸口部３から容器本体部２に連続して形成され、飲料の通り道となるものであり、当該ストロー孔６の他端は容器本体部２（外側容器５）の底面部に開口している。
【００１７】
本実施形態では、図１に示すとおり、外側容器５はストロー孔６を形成するための凸部が縦方向に連続して形成されるため、補強リブの機能を合わせ持つことで外側容器５の強度を高めることができる。
【００１８】
本実施形態では、内側容器４は底面部を有さない筒状体であり、図３に示すとおり、外側容器５に挿入嵌合した状態において、内側容器４の先端部と外側容器５の底面部との間は、ストロー孔６の開口が現れる隙間Ｘが形成されるようになっている。なお、内側容器４の先端部と外側容器５の底面部を当接させ、内側容器４の一部に、ストロー孔６と連通する切欠きを形成しても良い。更には、内側容器４は底面部を有し、外側容器５に挿入嵌合した状態において、内側容器４の底面部と外側容器５の底面部を当接させ、内側容器４の一部にストロー孔６と連通する開口を形成しても良い。
【００１９】
吸口部３に形成されるストロー孔６は、内側容器４と外側容器５とを正確に位置合わせすることで形成されるため、内側容器４と外側容器５には、この位置合わせを容易にするための位置決め用凹凸（位置合わせ部）７が形成されている。位置決め用凹凸７は、内側容器４に凸、外側容器５に凹を形成しても、或いはその逆であっても良い。使用者は、外側容器５に内側容器４を挿入する際に、当該位置決め用凹凸７を合わせることで、正しい状態にセットすることができる。なお、本実施形態において、位置決め用凹凸（位置合わせ部）７は、内側容器４及び外側容器５の縦方向の一部分に形成しているが、縦方向の全長に渡って形成しても良い。
【００２０】
また吸口部３に形成されるストロー孔６の位置合わせが正確であったとしても、内側容器４と外側容器５の製造誤差や材質等によって、ストロー孔６の周辺に隙間ができ、真空状態で吸い込むことが難しくなる。そのため、本実施形態では、飲料用容器１としての強度を確保するために内側容器４を硬質プラスチック（例えば、ポリプロピレン（ＰＰ）、高密度ポリエチレン（ＨＤＰＥ）、ポリエチレンテレフタレート（ＰＥＴ）、ポリシクロヘキサンジメチレンテレフタレート（ＰＣＴ）、ポリメチルペンテン（ＴＰＸ）等）又は金属製とする一方、外側容器５を軟質樹脂（例えば、直鎖状低密度ポリエチレン（Ｌ-ＬＤＰＥ）、熱可塑性エラストマー（ＴＰＥ）、シリコン樹脂（Ｓｉ）等）とすることで、内側容器４と外側容器５との密着性、ストロー孔６の気密性を高めている。なお、気密性を高める他の方法として、ストロー孔６を形成する内側容器４と外側容器５の長さ方向左右両端に、内側容器４と外側容器５との隙間をシールするゴム製のパッキン等を挟み込んでも良い。当該パッキンは、内側容器４又は外側容器５に、予めその一部が埋め込まれていても良い。また、外側容器５の軟質樹脂は、前記樹脂のブレンドであっても良い。
【００２１】
更にストロー孔６の気密性を高める他の方法として、図１８（ａ）に示すとおり、外側容器５に形成されたストロー孔６の長さ方向左右両端部をシールする突出部１４を、内側容器４に形成してもよい。上記した気密性を高める各種の方法は、一つでもよく複数を適宜に組み合わせて採用しても良い。
【００２２】
本実施形態では、内側容器４を着色された不透明容器とし、外側容器５を透明又は半透明な容器としている。また単純な着色ではなく、各種の図形やイラストを描いて不透明にしても良い。この構成によれば、使用者は容器に収容した飲料の残量を、ストロー孔６に現れる飲料柱によって確認することができる。
【００２３】
更に、ストロー孔６の形状を、直線形状のみならず例えば図１４に示すような蛇行する曲線状、又は螺旋状、又はそれらの組合せ等の様々な形状とすることで、内側容器４の色や模様を背景として容器本体部２内の飲料が様々な形状で上昇し、特に子供や女性にとって、楽しく使用することが可能となる。もちろん、内側容器４及び外側容器５ともに透明容器、半透明容器であっても、ともに不透明容器であっても構わない。なお、上記した容器を着色するか、或いは透明とするかは、以下説明する第二実施形態から第四実施形態についても同様である。
【００２４】
図５は、本願発明の第二実施形態に係る飲料用容器１のストロー孔６の構造を示す水平方向断面図である。本第二実施形態に示す飲料用容器１は、第一実施形態と同様に、内側容器４と外側容器５が着脱自在に嵌合されて構成されており、容器本体部２の開口部上面から吸口部３が突出している。
【００２５】
図５に示す通り、本実施形態のストロー孔６は、外側容器５の外方に膨出するように形成した凸部の内面（凹部）と、内側容器４の内方に膨出するように形成した凸部の内面（凹部）で区画された部分によって形成され、飲料の通り道となるものである。この構成によれば、第一実施形態のストロー孔６に比べて、断面積を大きくすることができ、粒入り飲料であってもストロー孔６が詰まることなく、粒入り飲料も容易に吸うことができる。なお、本実施形態及び以下説明する他の実施形態において、ストロー孔６の垂直方向断面図は、基本的に第一実施形態の垂直方向断面図に基づいて容易に理解し得るため、省略する。
【００２６】
本実施形態では、内側容器４及び外側容器５の両方にストロー孔６を形成するための凸部が縦方向に連続して形成されるため、補強リブの機能を合わせ持つことで、内側容器４及び外側容器５の強度を高めることができる。
【００２７】
図６は、本願発明の第三実施形態に係る飲料用容器１のストロー孔６の構造を示す水平方向断面図である。本第三実施形態に示す飲料用容器１は、第一、第二実施形態と同様に、内側容器４と外側容器５が着脱自在に嵌合されて構成されており、容器本体部２の開口部上面から吸口部３が突出している。
【００２８】
図６に示す通り、本実施形態のストロー孔６は、外側容器５の側壁内側に形成した凹部の内面と、内側容器４の側壁外側に形成した凹部の内面で区画された部分によって形成され、飲料の通り道となるものである。この構成によれば、第一、第二実施形態のストロー孔６に比べて断面積は小さくなるものの、内側容器４の内面、外側容器５の外周面は突出部の無い通常の容器と同じ曲面となるため、使用者は飲料用容器１を掴みやすく、かつ飲料用容器１を整然と積み重ねて（スタックさせて）収納・保管することができる。
【００２９】
図７は、本願発明の第四実施形態に係る飲料用容器１のストロー孔６の構造を示す水平方向断面図である。本第四実施形態に示す飲料用容器１は、第一から第三実施形態と同様に、内側容器４と外側容器５が着脱自在に嵌合されて構成されており、容器本体部２の開口部上面から吸口部３が突出している。
【００３０】
図７に示す通り、本実施形態のストロー孔６は、外側容器５の内周面と、内側容器４の内方に膨出する凸部の内面（凹部）で区画された部分によって形成され、飲料の通り道となるものである。この構成によれば、上記第三実施形態と同様に、外側容器５の外周面は突出部の無い通常の容器と同じ曲面となるため、使用者が飲料用容器１を掴みやすい形状とすることができる。
【００３１】
本実施形態では、内側容器４にストロー孔６を形成するための凸部が縦方向に連続して形成されるため、補強リブの機能を合わせ持つことで、内側容器４の強度を高めることができる。
【００３２】
また、ストロー孔６の気密性を高める方法として、第一実施形態と同様に、図１８（ｂ）に示すとおり、内側容器４に形成されたストロー孔６の長さ方向左右両端部をシールする突出部１４を、外側容器５に形成してもよい。
【００３３】
以上説明した本願発明の第一から第四実施形態に係る基本構造によれば、内側容器４と外側容器５を着脱式の２重構造としているため、ストロー孔６を含む飲料用容器１を洗浄する際は、内側容器４を外側容器５から取り外してバラバラの状態とし、これによってストロー孔６を形成する各凹部が開放されることで、その洗浄が極めて容易となる。
【００３４】
なお飲料用容器１を洗浄する際、内側容器４を外側容器５から取り外す必要があるが、内側容器４と外側容器５との狭い隙間に液体が入り込み、液体の表面張力によって、取り外し難い場合がある。そのため、図１１、図１２に示す通り、内側容器４に取り外しが容易となる構造を採用しても良い。
【００３５】
例えば、図１１に示すものは、内側容器４に、側面視において容器本体部２の開口部上面から突出する凸状つまみ８を複数形成したものであり、使用者が当該凸状つまみ８を指で摘まんで外側容器５から内方に剥がすようにして引っ張り上げるようにしたものである。
【００３６】
また図１２に示すものは、内側容器４の開口部下方に凹状切欠き９を形成したものであり、当該凹状切欠き９に対応する治具を挟み込んで引っ張り上げるようにしたものである。
【００３７】
また、特に内側容器４を硬質樹脂又は金属で構成し、外側容器５を軟質樹脂で構成する場合、図１９に示すとおり、内側容器４の底部に、外側容器５の底部から押圧可能な被押圧部１５を形成し、使用者が外側容器５の底部を押圧することで、被押圧部１５にその力が加わり、内側容器４を上方に押し上げ、内側容器４を外側容器５から取り外しやすくするようにしてもよい。また、被押圧部１５を設置する場所、及びその数は、適宜に決定すれば良い。
【００３８】
更に、本願発明の第一から第四実施形態に係る基本構造によれば、ストロー孔６をセットする前段階において、内側容器４は外側容器５に対してフリーに回転させることができる。そこで、図１３に示すとおり、内側容器４の内周面に攪拌翼１０を突出形成すれば、内側容器４を回転させることによって攪拌翼１０が容器内に収容されている飲料を掻き混ぜることができ、マドラー機能をも合わせ持つことができる。
【００３９】
攪拌翼１０は、図１３に示した形状だけでなく、スクリュー翼など容器内に収容されている飲料を掻き混ぜることができるものであれば、どのような形状であっても良い。
【００４０】
更に、第一実施形態と同様に、第二から第四実施形態に係るストロー孔６についても、図１４に示す蛇行する曲線状、螺旋状等の様々な形状とすることができる。その場合、第一実施形態で説明したように、蛇行する曲線状、螺旋状等の様々な形状に沿って飲料が上昇することで、子供や女性にとって、楽しく使用することが可能となる。
【００４１】
更に、第一実施形態で説明したゴム製のパッキン等でストロー孔６をシールする方法は、第二から第四実施形態にも適用可能であり、また第一実施形態と同様に、気密性を高める方法は、一つでも、或いは複数を適宜に組み合わせて採用してもよい。なお、図５〜図７に示す第二から第四実施形態においても位置決め用凹凸７を採用した例を示しているが、各実施形態において位置決め用凹凸７が無い構成であっても良い。
【００４２】
更に、以上説明した第一から第四実施形態に係る構造は、内側容器４と外側容器５を着脱式としているが、両者を接着剤で固定して一体化しても良い（この場合、内側容器４を外側容器５から取り外して洗浄することはできず、また上記攪拌翼１０によるマドラー機能も付加することはできない）。ストロー孔６を洗浄する場合には、細長いブラシを用いて洗浄する。
【００４３】
図８は、本願発明の参考第五実施形態に係る飲料用容器１のストロー孔６の構造を示す水平方向断面図である。本参考第五実施形態に示す飲料用容器１は、内側容器４と外側容器５の２重構造ではなく、樹脂一体成形によって構成されており、容器本体部２の開口部上面から吸口部３が突出している。
【００４４】
図８に示す通り、本参考実施形態のストロー孔６は、飲料用容器１の側壁の一部を外側及び内側に膨出させ、その中央にストロー孔６を形成するものである。ストロー孔６は、樹脂で一体形成された飲料用容器１に対し、ドリル等を用いて穿孔しても良く、金型で一体成形しても、３Ｄプリンターを用いて成形しても良い。金型で成形する場合、完成した飲料用容器１の底部側面に、ドリル等を用いてストロー孔６に連通する開口を穿孔する。
【００４５】
図９は、本願発明の参考第六実施形態に係る飲料用容器１のストロー孔６の構造を示す水平方向断面図である。本参考第六実施形態に示す飲料用容器１は、参考第五実施形態と同様に、樹脂一体成形によって構成されており、容器本体部２の開口部上面から吸口部３が突出している。
【００４６】
図９に示す通り、本参考実施形態のストロー孔６は、飲料用容器１の側壁の一部を外側に膨出させ、その膨出した部分にストロー孔６を形成するものである。ストロー孔６の形成方法は、上記参考第五実施形態と同じである。
【００４７】
図１０は、本願発明の参考第七実施形態に係る飲料用容器１のストロー孔６の構造を示す水平方向断面図である。本参考第七実施形態に示す飲料用容器１は、参考第五、第六実施形態と同様に、樹脂一体成形によって構成されており、容器本体部２の開口部上面から吸口部３が突出している。
【００４８】
図１０に示す通り、本参考実施形態のストロー孔６は、飲料用容器１の側壁の一部を内側に膨出させ、その膨出した部分にストロー孔６を形成するものである。ストロー孔６の形成方法は、上記参考第五実施形態と同じである。
【００４９】
以上説明した本願発明の参考第五から第七実施形態に係る基本構造によれば、飲料用容器１は、内側容器４及び外側容器５の二重構造とする必要がなく、第一から第四実施形態に比べて構造が簡単で製造が容易であり、ストロー孔６の気密性を高めるためのシール等を必要としない。ストロー孔６の内部を洗浄する場合には、細長いブラシを用いて洗浄する。
【００５０】
また、飲料用容器１を透明又は半透明な樹脂で形成し、容器の内周面を着色して不透明にすれば、第一から第四実施形態と同様に、使用者は飲料用容器１に収容した飲料の残量を、ストロー孔６に現れる飲料柱によって確認することができ、子供や女性にとって、楽しく使用することが可能となる。もちろん、全体を透明容器、半透明容器、不透明容器としても構わない。
【００５１】
また、飲料用容器１の側壁外方及び／又は内方にストロー孔６を形成するための凸部が縦方向に連続して形成されるため、補強リブの機能を合わせ持つことで、飲料用容器１の強度を高めることができる。
【００５２】
更に、上記した第一から参考第七の各実施形態において、ストロー孔６の一部途中箇所に弁（図示せず）を設けても良い。この弁は、使用者が容器本体部２を外側から押圧することで開放されて飲料を吸うことができ、押圧を解除することで閉じる構成のものである。この場合、容器本体部２の開口部には、図１５に示す開口部蓋体１１を着脱自在に用いることで、飲料用容器１が倒れた場合であっても、開口部及びストロー孔６から内容物が外に漏れ出す恐れがない。なお、開口部蓋体１１は弁を用いない場合であっても、容器本体部２に装着しても良い。更に、開口部蓋体１１は、容器本体部２の開口部に対し、圧入式やネジ式で装着するか、或いはヒンジによって容器本体部２に連結しても良い。
【００５３】
また、吸口部３にも着脱自在な吸口部蓋体を設けてもよく、開口部蓋体１１と吸口部蓋体を一体化した全蓋体としても良い（図示せず）。吸口部蓋体や全蓋体を設ける場合、上記した弁は特に必要としない。
【００５４】
更に、上記した第一から参考第七の各実施形態においては、吸口部３が１個の例を示しているが、吸口部３は、複数人が同時に吸えるよう、或いは複数人が各人の吸口部３を使用できるよう複数形成しても良い。その場合、ストロー孔６は各吸口部３と一対一で対応する数を形成してもよく、或いは、容器底部に開口した１つのストロー孔６が途中から分岐して各吸口部３に繋がるように構成しても良い。
【００５５】
更に、上記した第一から参考第七の各実施形態において、吸口部３は、側面視において容器本体部２の側壁の延長線上（一直線上）に突出しているが、吸口が使用者側を向くよう円弧を描いて屈曲させても良く、或いは、使用者によって吸口の角度や形状を自由に変化させることができるよう、吸口部３を柔軟な素材で形成しても良い。
【００５６】
図１６、図１７は、本願の参考第八実施形態に係る飲料用容器１の全体斜視図、及び分解斜視図である。図示するように、参考第八実施形態に係る飲料用容器１は、容器本体部２と、側面視において容器本体部２の開口部上面から突出する吸口部３とに渡って、連続する凹部１２がその側面に形成されるよう樹脂で一体成形し、凹部１２の最下端は、容器本体部２の底部に開口されており、当該凹部１２は、容器本体部２及び吸口部３の外側に貼付けられた紙又は樹脂フィルム１３によって塞がれ、凹部１２及び紙又は樹脂フィルム１３によって囲まれた空間によって、飲料流路となるストロー孔６が形成されるものである。
【００５７】
なお、容器本体部２の底部は、１〜１０ｍｍ程度底上げされた構造となっており、上記凹部１２は、容器本体部２の底部で終わっている。この構成により、凹部１２の下側領域におけるシールを確実に行うことができる。なお、紙又は樹脂フィルム１３を容器底面で折り返すようにシールする場合、底上げしなくても良い。
【００５８】
容器本体部２及び吸口部３を不透明な樹脂で形成し、透明又は半透明な樹脂フィルム１３を貼り付ける場合、第一発明の各実施形態と同様に、ストロー孔６内を上昇する飲料を外から見ることができる。また、ストロー孔６は、図１４に示す各種の形状とすることもできる。
【００５９】
上記した参考第八実施形態は、本願発明に比べて構成が簡単で、その製造コストを抑えることができ、特に樹脂製の場合にはテイクアウト用の使い捨て飲料用容器に適しているが、金属製の場合、紙又は樹脂フィルム１３を取り替えることでリユースも可能である。
【００６０】
以上、本願発明に係る飲料用容器によれば、容器そのものにストロー機能を備えていることから、ストローのポイ捨て等による環境汚染問題を防止でき、また容器を洗浄すれば何度でも使用可能であるため経済的にも有益である。
【符号の説明】
【００６１】
１  飲料用容器
２  容器本体部
３  吸口部
４  内側容器
５  外側容器
６  ストロー孔（飲料流路）
７  位置決め用凹凸（位置合わせ部）
８  凸状つまみ
９  凹状切欠き
１０  攪拌翼
１１  開口部蓋体
１２  凹部
１３  紙又は樹脂フィルム
１４  突出部
１５  被押圧部
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
ストロー機能を備えた飲料用容器であって、
前記飲料用容器は、内側容器と外側容器の２重構造からなり、前記内側容器は前記外側容器に対して着脱自在に嵌合されるとともに、
前記飲料用容器は、容器本体部と、側面視において前記容器本体部の開口部の上面から突出する１又は複数の吸口部とから構成され、
前記内側容器の外側及び前記外側容器の内側、或いは、前記内側容器の外側又は前記外側容器の内側いずれか一方に、飲料流路となるストロー孔を形成するための凹部が連続して形成され、
前記ストロー孔の一端は前記吸口部の上端部に開口し、他端は前記外側容器の内面底部に向けて開口している、
ことを特徴とする飲料用容器。
【請求項２】
前記凹部の長さ方向左右両端部をシールする突出部が、前記外側容器又は前記内側容器のいずれか一方に形成されている、
ことを特徴とする請求項１に記載の飲料用容器。
【請求項３】
前記内側容器及び前記外側容器には、前記ストロー孔を正確に形成するための位置合わせ部を有する、
ことを特徴とする請求項１又は２に記載の飲料用容器。
【請求項４】
前記内側容器及び前記外側容器は、いずれか一方が硬質樹脂素材又は金属で成形され、他方が軟質樹脂素材で成形される、
ことを特徴とする請求項１ないし３のいずれか１項に記載の飲料用容器。
【請求項５】
前記内側容器及び前記外側容器は、いずれも硬質樹脂素材又は軟質樹脂素材で成形される、
ことを特徴とする請求項１ないし３のいずれか１項に記載の飲料用容器。
【請求項６】
前記内側容器は着色された不透明容器であり、前記外側容器は透明又は半透明な容器である、
ことを特徴とする請求項１ないし５のいずれか１項に記載の飲料用容器。
【請求項７】
前記内側容器及び前記外側容器は、いずれも透明容器、又は半透明容器、又は不透明容器である、
ことを特徴とする請求項１ないし５のいずれか１項に記載の飲料用容器。
【請求項８】
前記内側容器には、側面視において前記容器本体部の前記開口部の上面から突出する凸状のつまみが形成されている、
ことを特徴とする請求項１ないし７のいずれか１項に記載の飲料用容器。
【請求項９】
前記内側容器には、前記容器本体部の前記開口部の下方に凹状切欠きが形成されている、
ことを特徴とする請求項１ないし８のいずれか１項に記載の飲料用容器。
【請求項１０】
前記内側容器が硬質樹脂素材又は金属で、前記外側容器が軟質樹脂素材で、それぞれ成形され、
前記内側容器の底部には、前記外側容器の底部から押圧可能な被押圧部が形成されている、
ことを特徴とする請求項１ないし３のいずれか１項に記載の飲料用容器。
【請求項１１】
前記内側容器は底面部を有さない筒状体であり、前記外側容器に挿入嵌合した状態において、前記内側容器の先端部と前記外側容器の底面部との間は、前記ストロー孔が開口する隙間が形成されている、
ことを特徴とする請求項１ないし１０のいずれか１項に記載の飲料用容器。
【請求項１２】
前記内側容器は底面部を有さない筒状体であり、前記外側容器に挿入嵌合した状態において、前記内側容器の先端部と前記外側容器の底面部は当接しており、前記内側容器の一部は、前記ストロー孔と連通する切欠きが形成されている、
ことを特徴とする請求項１ないし１０のいずれか１項に記載の飲料用容器。  
【請求項１３】
前記内側容器は底面部を有し、前記外側容器に挿入嵌合した状態において、前記内側容器の底面部と前記外側容器の底面部は当接しており、前記内側容器の一部は、前記ストロー孔と連通する開口が形成されている、
ことを特徴とする請求項１ないし１０のいずれか１項に記載の飲料用容器。  
【請求項１４】
前記ストロー孔の長さ方向左右両側近傍に、前記内側容器と前記外側容器との隙間をシールするパッキンが設けられている、
ことを特徴とする請求項１ないし１３のいずれか１項に記載の飲料用容器。  
【請求項１５】
前記内側容器は、その内周面に内方に突出する１又は複数の攪拌翼を有する、
ことを特徴とする請求項１ないし１４のいずれか１項に記載の飲料用容器。
【請求項１６】
前記攪拌翼は、スクリュー翼形状である、
ことを特徴とする請求項１５に記載の飲料用容器。
【請求項１７】
前記容器本体部の前記開口部を閉鎖する着脱自在な開口部蓋体を更に有する、
ことを特徴とする請求項１ないし１６のいずれか１項に記載の飲料用容器。
【請求項１８】
前記開口部蓋体は、前記飲料用容器とは別体であり、前記容器本体部の開口部に対して、圧入式又はネジ式によって装着する、
ことを特徴とする請求項１７に記載の飲料用容器。
【請求項１９】
前記開口部蓋体は、前記容器本体部にヒンジで連結されている、
ことを特徴とする請求項１７に記載の飲料用容器。
【請求項２０】
前記吸口部を閉鎖する着脱自在な吸口部蓋体を更に有する、
ことを特徴とする請求項１ないし１９のいずれか１項に記載の飲料用容器。
【請求項２１】
前記吸口部及び前記容器本体部の前記開口部を同時に閉鎖する着脱自在な全蓋体を更に有する、
ことを特徴とする請求項１ないし１６のいずれか１項に記載の飲料用容器。
【請求項２２】
前記ストロー孔の内部には、前記容器本体部の外側から内側に向けて前記ストロー孔が形成されている部分が押圧されることで開放され、押圧を解除することで前記容器本体部に収容されている飲料が外部に放出されることを阻止する弁を更に有する、
ことを特徴とする請求項１ないし２１に記載の飲料用容器。
【請求項２３】
前記ストロー孔は、直線、又は螺旋、又は曲線蛇行状態、又はそれらの組合せで形成されている、
ことを特徴とする請求項１ないし２２のいずれか１項に記載の飲料用容器。
【手続補正２】
【補正対象書類名】明細書
【補正対象項目名】０００８
【補正方法】変更
【補正の内容】
【０００８】
上記目的を達成するため、本願発明は、ストロー機能を備えた飲料用容器であって、前記飲料用容器は、内側容器と外側容器の２重構造からなり、前記内側容器は前記外側容器に対して着脱自在に嵌合されるとともに、前記飲料用容器は、容器本体部と、側面視において前記容器本体部の開口部の上面から突出する１又は複数の吸口部とから構成され、前記内側容器の外側及び前記外側容器の内側、或いは、前記内側容器の外側又は前記外側容器の内側いずれか一方に、飲料流路となるストロー孔を形成するための凹部が連続して形成され、前記ストロー孔の一端は前記吸口部の上端部に開口し、他端は前記外側容器の内面底部に向けて開口している、ことを特徴とする。
【手続補正３】
【補正対象書類名】明細書
【補正対象項目名】００１６
【補正方法】変更
【補正の内容】
【００１６】
吸口部３の上端部には、ストロー孔６の一端が開口しており、当該ストロー孔６は、図３、図４に示すとおり、外側容器５の外方に膨出するように形成した凸部の内面（凹部）と、内側容器４の外周面とで区画された部分によって、吸口部３から容器本体部２に連続して形成され、飲料の通り道となるものであり、当該ストロー孔６の他端は容器本体部２（外側容器５）の内面底部に向けて開口している。